(57)【要約】【課題】チャンネルを切り替えたときに、即時に切替後の番組の視聴を開始できる。【解決手段】本発明の放送受信装置１では、第１受信処理部４が番組提示装置３に映像信号および音声信号を供給している場合に、出力信号生成指示部１９が、ユーザによって選択されたチャンネルを検知したとき、第２受信処理部５に該チャンネルのデジタル放送信号に基づいて映像信号および音声信号の生成を開始させる。そして、出力信号生成指示部１９が上記チャンネルを検知した後、チャンネルが確定したときに、切替制御部２０が映像信号および音声信号を番組提示装置３に供給する受信処理部を、第１受信処理部４から第２受信処理部５に切り替える。【選択図】図１
2008148061.tif 000002
【特許請求の範囲】
【請求項１】
デジタル放送信号を受信して番組を提示するための出力信号を生成し、該出力信号を番組提示装置に供給する第１受信処理部と第２受信処理部との少なくとも２つの受信処理部を備えた放送受信装置であって、
上記第１受信処理部が上記番組提示装置に上記出力信号を供給しているときに、ユーザによって選択されたチャンネルを検知した場合、上記第２受信処理部に該チャンネルのデジタル放送信号に基づいて上記出力信号の生成を開始させる出力信号生成指示部と、
上記出力信号生成指示部が上記チャンネルを検知した後の所定のタイミングにおいて、上記出力信号を上記番組提示装置に供給する受信処理部を、上記第１受信処理部から上記第２受信処理部に切り替える切替制御部とを備えていることを特徴とする放送受信装置。
【請求項２】
チャンネルが割り当てられた複数の領域を含んで構成される入力面を備え、該入力面におけるユーザの接触位置を検出する入力装置から、該接触位置を表す座標データを受信する座標データ受信部をさらに備え、
上記出力信号生成指示部は、
上記座標データ受信部が受信した上記座標データに基づいて、該座標データの表す位置が含まれる上記領域に割り当てられた上記チャンネルを決定することにより、ユーザによって選択されたチャンネルを検知することを特徴とする請求項１に記載の放送受信装置。
【請求項３】
デジタル放送信号を受信して番組を提示するための出力信号を生成し、該出力信号を番組提示装置に供給する第１受信処理部と第２受信処理部との少なくとも２つの受信処理部を備えた放送受信装置の放送受信方法であって、
上記第１受信処理部が上記番組提示装置に上記出力信号を供給しているときに、ユーザによって選択されたチャンネルを検知した場合、上記第２受信処理部に該チャンネルのデジタル放送信号に基づいて上記出力信号の生成を開始させる出力信号生成指示ステップと、
上記チャンネルを検知した後の所定のタイミングにおいて、上記出力信号を上記番組提示装置に供給する受信処理部を、上記第１受信処理部から上記第２受信処理部に切り替える切り替え制御ステップとを含んでいることを特徴とする放送受信方法。
【請求項４】
請求項１または２に記載の放送受信装置を動作させる制御プログラムであって、コンピュータを上記の各部として機能させるための制御プログラム。
【請求項５】
請求項１または２に記載の放送受信装置と、
上記２つの受信処理部によって供給される出力信号に基づいて番組を提示する番組提示装置とを含んでいることを特徴とする放送番組受信提示システム。
【発明の詳細な説明】
【技術分野】
【０００１】
本発明は、ユーザによって指定されたチャンネルの放送を受信する放送受信装置、放送受信方法、制御プログラム、および、放送番組受信提示システムに関するものである。
【背景技術】
【０００２】
従来アナログ方式で行われていた地上波テレビジョン放送が、動画符号化技術と放送多重化技術、そしてデジタル伝送符号化技術等の確立により、デジタル方式へと切り替わりつつある。デジタル放送では、映像信号や音声信号は符号化されて伝送される。そのため、放送受信装置は、受信したデジタル放送波に含まれる圧縮された映像信号や音声信号を復号化する必要がある。このとき、放送受信装置が信号を復号化する処理に数秒の時間を要する。
【０００３】
図６は、従来のデジタル放送受信装置において、チャンネルを切り替える前後の画面の変化を示す図である。図６には、視聴者がリモコン６０５を用いてチャンネルをｃｈ１（１チャンネル）からｃｈ２（２チャンネル）に切り替えるときの例が示されている。図６に示すとおり、ディスプレイ６００には、始めに、画面６０１の映像が表示されている。このとき、チューナーはｃｈ１を受信している。
【０００４】
次に、視聴者がリモコン６０５を用いてチャンネルを切り替え、チューナーが受信するチャンネルがｃｈ１からｃｈ２に変わった直後、ディスプレイ６００には、画面６０２が表示される。しかしながら、ｃｈ２の放送信号の復号処理が完了していないため、ディスプレイ６００には、画面６０２のような黒画面が表示され、視聴者はｃｈ２において放送されている番組の映像を確認することができない。画面６０３は、チャンネルがｃｈ１からｃｈ２に変わって数秒経過したときにディスプレイ６００の様子である。画面６０３は画面６０２と同様、黒画面のままである。その後、さらに時間が経過してようやくｃｈ２の放送信号の復号処理が完了し、ディスプレイ６００に画面６０４の映像が表示される。
【０００５】
このように、従来のデジタル放送受信装置では、視聴者がチャンネルの切り替え操作を行った場合、指定されたチャンネルの番組は即時には放送受信装置に表示されず、視聴者は、番組の内容を確認するまで数秒間待機する必要があり、放送中の番組の内容を素早く確認できないという問題があった。
【０００６】
このような問題を解決する技術を開示する文献として、特許文献１がある。図７は、特許文献１に開示されている従来のデジタル放送受信装置のブロック図である。特許文献１のデジタル放送受信装置では、視聴者が所望のデジタル放送を受信して視聴するのと同時に、指定された番組列を第２のチューナー７１１において受信し、第２のＭＰＥＧデマルチプレクサ７１２により各伝送チャンネルにおいて指定された番組列の映像データを抽出し、前記映像データを第２のＭＰＥＧビデオコーダ７１３によりデジタル映像信号に復号し、前記復号されたデジタル映像信号を番組表示画面信号として番組毎に少なくとも１画面ずつ第１のメモリ７１４に記憶させ、第１のメモリ７１４に記憶されている番組表示画面信号を１番組ずつ、または、複数番組分をマルチ画面表示する。
【０００７】
つまり、現在視聴中の放送を受信している第１のチューナー７０２とは異なる第２のチューナー７１１を用いて他のチャンネルの映像フレームを第１のメモリ７１４に記憶しておき、視聴者が他のチャンネルの番組内容を確認したい場合、第１のメモリ７１４において記憶されている番組の映像フレームを読み出して表示する。また、特許文献１のデジタル放送受信装置は、ユーザの指示に応じて、第１のメモリ７１４に記憶されている各チャンネルの映像フレームをマルチ画面表示することもできる。
【０００８】
これにより、他のチャンネルの番組を確認したい場合、メモリに記憶されている他のチャンネルの映像フレームを即時に表示できる。つまり、視聴者は、他のチャンネルでどのような番組が放送中であるかを素早く知ることができるようになる。
【０００９】
ところで、ノート型ＰＣ（Ｐｅｒｓｏｎａｌ  Ｃｏｍｐｕｔｅｒ）のポインティングデバイスとしてタッチパッドが広く利用されている。タッチパッドには、指やペンなどの接触を電気的に検知する静電容量式や、あるいは、圧力を利用して検出する感圧式がある。静電容量式のタッチパッドでは、表面に備えられている電極間の電荷量の変化に基づいて指の動きを検出する。
【００１０】
そして、タッチパッドは、従来から、ポインティングデバイスとしての機能の他にも、様々な用途への応用が提案されてきた。例えば、特許文献２においては、タッチパッドをテンキーとして利用可能な情報処理装置が開示されている。図８は、特許文献２に開示されているタッチパッド８０５の構成例を示す図である。図８に示すとおり、タッチパッド８０５は、１６の領域（区画）に分割され、分割された各領域に、それぞれ１０キーとして使用する数字または記号が割り当てられている。つまり、タッチパッド８０５上の入力座標に、それぞれ数字または記号が対応している。ここで、タッチパッド８０５上の入力座標と１０キーの数字または記号との対応はあらかじめタッチパッド対応レジスタの変換テーブルにおいて記憶されている。
【００１１】
また、特許文献２に開示されている情報処理装置には、機能ボタンが備えられており、タッチパッド８０５を１０キーとして使用したい場合、機能ボタンを操作する。これにより、１０キーモード信号がキーボードコントローラに供給され、タッチパッドコントローラは、その信号を受け取る。タッチパッドコントローラは、操作されたタッチパッドの座標値を検出し、それに対応する１０キーを、タッチパッド対応レジスタから読み出す。これにより、タッチパッド８０５の操作された座標が数字または記号に変換される。
【００１２】
特許文献２の例では、１０キーとしての利用が可能なタッチパッドが携帯型ＰＣに備えられている例について示されているが、ポインティングデバイス以外の機能を備えたタッチパッドの利用範囲は、携帯型ＰＣ以外にも広がっている。
【特許文献１】特開２００３−  ８７６６８（２００３年  ３月２０日公開）
【特許文献２】特開２０００−２８４９００（２０００年１０月１３日公開）
【発明の開示】
【発明が解決しようとする課題】
【００１３】
上述したとおり、デジタル放送では、符号化されて伝送される映像信号や音声信号を、放送受信装置において復号化する処理が必要となるため、チャンネルを切り替えてから放送中の番組が表示されるまで数秒の時間を要する。これに対し、特許文献１では、あらかじめ各チャンネルの番組の映像フレームをメモリに記憶しておき、視聴者が他のチャンネルの番組内容を確認したい場合、メモリに記憶されている他のチャンネルの映像フレームを読み出して表示することが提案されている。
【００１４】
しかしながら、特許文献１に記載の従来の構成では、他のチャンネルの番組内容を確認したい場合に映像が即時に表示されるものの、表示されるのはあくまでメモリに記憶されている映像フレームである。つまり、表示されるのは過去の映像であり、どのような番組であるのかを素早く知ることができるようになるものの、チャンネルの切り替えを行った時点での放送を即時に表示することはできないという問題を生じる。
【００１５】
本発明は、上記の問題点に鑑みてなされたものであり、その目的は、視聴者がチャンネルを切り替えたときに、新たに指定したチャンネルにおいて放送中の番組を即時に視聴開始できる放送受信装置、放送受信方法、制御プログラム、および、放送番組受信提示システムを実現することにある。
【課題を解決するための手段】
【００１６】
本発明に係る放送受信装置は、デジタル放送信号を受信して番組を提示するための出力信号を生成し、該出力信号を番組提示装置に供給する第１受信処理部と第２受信処理部との少なくとも２つの受信処理部を備えた放送受信装置であって、上記第１受信処理部が上記番組提示装置に上記出力信号を供給しているときに、ユーザによって選択されたチャンネルを検知した場合、上記第２受信処理部に該チャンネルのデジタル放送信号に基づいて上記出力信号の生成を開始させる出力信号生成指示部と、上記出力信号生成指示部が上記チャンネルを検知した後の所定のタイミングにおいて、上記出力信号を上記番組提示装置に供給する受信処理部を、上記第１受信処理部から上記第２受信処理部に切り替える切替制御部とを備えていることを特徴としている。
【００１７】
上記の構成によれば、放送受信装置は、デジタル放送信号を受信して、番組を提示するための出力信号を生成して番組提示装置に供給する受信処理部を少なくとも２つ（第１受信処理部、第２受信処理部）備えている。番組提示装置としては、例えば、テレビ受像装置に備えられているディスプレイやスピーカーなどがある。そして、番組を提示するための出力信号としては、例えば、ディスプレイに映像を表示するための映像信号やスピーカーから音声を出力するための音声信号などがある。受信処理部は、内部に、例えば、デジタル放送信号を受信するチューナーのほか、受信したデジタル放送信号を復号するデコーダなどを含んで構成される。
【００１８】
なお、本発明に係る放送受信装置では、番組提示装置が外付けされた構成であってもよいし、あるいは、一体的に備えられた構成であってもよく、特に限定はされない。
【００１９】
また、上記の構成によれば、出力信号生成指示は、第１受信処理部が生成した出力信号に基づいて、番組提示装置が番組を提示している場合に、ユーザによってチャンネルが選択されたことを検出したとき、第２受信処理部に対して、選択されたチャンネルのデジタル放送信号に基づいて出力信号の生成を開始させる。ユーザは、例えば、リモコンなどを用いてチャンネルを選択する。そして、出力信号生成指示部は、リモコンから出力される信号に基づいて選択されたチャンネルを認識する。
【００２０】
なお、このとき、第２受信処理部は、選択されたチャンネルのデジタル放送信号の受信やデコードなどの処理を行って、映像信号や音声信号などの生成を開始するが、番組提示装置に対して出力信号の供給を開始するわけではない。つまり、このとき番組提示装置には、第１受信処理部から出力信号が供給されており、ユーザに対しては、まだ、第１受信処理部において受信しているデジタル放送の番組が提示される。
【００２１】
さらに、上記の構成によれば、切替制御部は、出力信号生成指示部がユーザによって選択されたチャンネルを検知した後の所定のタイミングにおいて、番組提示装置に出力信号を供給する受信処理部を、第１受信処理部から第２受信処理部に切り替える。
【００２２】
ここで、所定のタイミングとは、選択されたチャンネルが確定したことを切替制御部が検知したタイミングであり、例えば、ユーザがチャンネルを選択するときにリモコンから送信される信号を切替制御部が検出できなくなったタイミングであってもよいし、ユーザがチャンネルを選択するときにリモコンから送信される信号とは別に、チャンネルが決定されたことを示す信号を受信したタイミングであってもよい。あるいは、チャンネルが選択された後、あらかじめ定めされた一定の時間が経過したタイミングであってもよく、特に限定はされない。
【００２３】
そして、切替制御部が受信処理部を切り替えた後、番組提示装置は、第２受信処理部から出力信号の供給を受け、第２受信処理部が受信しているデジタル放送の番組をユーザに対して提示する。
【００２４】
なお、第２受信処理部が番組提示装置に対して出力信号を供給している場合において、新たにユーザによってチャンネルが選択された場合には、第１受信処理部への切り替えが行われることになる。
【００２５】
これにより、チャンネルが選択されてから確定するまで、番組提示装置では切り替え前のチャンネルの番組が提示されているが、その間に、切り替え後のチャンネルについてデジタル放送信号の受信や復号などの出力信号の生成を行う。すなわち、チャンネルが選択されてから確定するまでの時間を、そのチャンネルのデジタル放送信号の受信やデコードなどの処理に使うことができる。したがって、チャンネル切り替え操作を行ってから、切り替え後のチャンネルの番組が番組提示装置によって提示されるまでのタイムラグを短縮することができる。
【００２６】
本発明に係る放送受信方法は、デジタル放送信号を受信して番組を提示するための出力信号を生成し、該出力信号を番組提示装置に供給する第１の受信処理部と第２の受信処理部との少なくとも２つの受信処理部を備えた放送受信装置の放送受信方法であって、上記第１の受信処理部が上記番組提示装置に上記出力信号を供給しているときに、ユーザによって選択されたチャンネルを検知した場合、上記第２の受信処理部に該チャンネルのデジタル放送信号に基づいて上記出力信号の生成を開始させる出力信号生成指示ステップと、上記チャンネルを検知した後の所定のタイミングにおいて、上記出力信号を上記番組提示装置に供給する受信処理部を、上記第１の受信処理部から上記第２の受信処理部に切り替える切り替え制御ステップとを含んでいることを特徴としている。
【００２７】
上記の構成によれば、本発明に係る放送受信装置と同様の作用効果を奏する。
【００２８】
また、本発明の放送受信装置は、チャンネルが割り当てられた複数の領域を含んで構成される入力面を備え、該入力面におけるユーザの接触位置を検出する入力装置から、該接触位置を表す座標データを受信する座標データ受信部をさらに備え、上記出力信号生成指示部は、上記座標データ受信部が受信した上記座標データに基づいて、該座標データの表す位置が含まれる上記領域に割り当てられた上記チャンネルを決定することにより、ユーザによって選択されたチャンネルを検知することが好ましい。
【００２９】
上記の構成によれば、放送受信装置では、座標データ受信部は、チャンネルが割り当てられた複数の領域を含んで構成される入力面を備え、該入力面におけるユーザの接触位置を検出する入力装置から、該接触位置を表す座標データを受け付ける。
【００３０】
上記の入力装置に備えられた入力面としては、例えば、タッチパッドやタッチパネルなど、ユーザによる指やペンなどの接触を電気や圧力を利用して検知できる仕組みであればよく、特に限定はされない。入力面は、チャンネルが割り当てられた複数の領域に区分されている。そして、例えば、ユーザが、入力面のある箇所に触れると、入力装置はその箇所の座標データを生成し、放送受信装置に対して送信する。
【００３１】
そして、出力信号生成指示部は、座標データ受信部が受信した座標データをもとに、ユーザによって選択されたチャンネルを検知する。受信した座標データに基づいて選択されたチャンネルを検知する方法としては、例えば、入力装置の入力面における座標データに対応付けてチャンネルを記憶する記憶装置が用意されており、出力信号生成指示部は、座標データ受信部が受信した座標データに対応するチャンネルを記憶装置から読み出すことによって、入力装置の入力面の領域においてユーザの触れた位置が含まれる領域に対応するチャンネルを、放送受信装置において検知する構成が考えられる。あるいは、例えば、出力信号生成指示部において、受信した座標データが含まれる領域を判定するための演算を行うことで、座標データが含まれる領域に対応するチャンネルを検出するような構成であってもよく、特に限定はされない。
【００３２】
なお、記憶装置は、放送受信装置に外付けされた構成であってもよいし、一体的に備えられた構成であってもよく、特に限定はされない。
【００３３】
これにより、タッチパッドなどのユーザによる接触を検知する仕組みを利用して、放送受信装置のチャンネルの切り替えを行うことができるようになる。したがって、チャンネルを選択するときの入力装置の操作性が向上し、ユーザにとって利便性が高まる。
【００３４】
なお、上記放送受信装置は、コンピュータによって実現してもよい。この場合、コンピュータを上記各部として動作させることにより上記放送受信装置をコンピュータにおいて実現する制御プログラム、およびその制御プログラムを記録したコンピュータ読み取り可能な記録媒体も、本発明の範疇に入る。
【００３５】
また、本発明に係る放送番組受信提示システムは、請求項１または２に記載の放送受信装置と、上記２つの受信処理部によって供給される出力信号に基づいて番組を提示する番組提示装置とを含んでいることを特徴としている。放送番組受信提示システムとしては、例えば、デジタル放送のテレビ受像装置などがある。上記構成によれば、ユーザがチャンネルの切り替え操作を行ってから、切り替え後のチャンネルの番組が提示されるまでのタイムラグが短い放送番組受信提示システムを実現できる。
【発明の効果】
【００３６】
本発明に係る放送受信装置は、以上のように、デジタル放送信号を受信して番組を提示するための出力信号を生成し、該出力信号を番組提示装置に供給する第１受信処理部と第２受信処理部との少なくとも２つの受信処理部を備えた放送受信装置であって、上記第１受信処理部が上記番組提示装置に上記出力信号を供給しているときに、ユーザによって選択されたチャンネルを検知した場合、上記第２受信処理部に該チャンネルのデジタル放送信号に基づいて上記出力信号の生成を開始させる出力信号生成指示部と、上記出力信号生成指示部が上記チャンネルを検知した後の所定のタイミングにおいて、上記出力信号を上記番組提示装置に供給する受信処理部を、上記第１受信処理部から上記第２受信処理部に切り替える切替制御部とを備えている。
【００３７】
また、本発明に係る放送受信方法は、デジタル放送信号を受信して番組を提示するための出力信号を生成し、該出力信号を番組提示装置に供給する第１の受信処理部と第２の受信処理部との少なくとも２つの受信処理部を備えた放送受信装置の放送受信方法であって、上記第１の受信処理部が上記番組提示装置に上記出力信号を供給しているときに、ユーザによって選択されたチャンネルを検知した場合、上記第２の受信処理部に該チャンネルのデジタル放送信号に基づいて上記出力信号の生成を開始させる出力信号生成指示ステップと、上記チャンネルを検知した後の所定のタイミングにおいて、上記出力信号を上記番組提示装置に供給する受信処理部を、上記第１の受信処理部から上記第２の受信処理部に切り替える切り替え制御ステップとを含んでいる。
【００３８】
それゆえ、チャンネルが選択されてから確定するまでの時間を、そのチャンネルのデジタル放送信号の受信やデコードなどの処理に使うことができるため、チャンネル切り替え操作を行ってから、切り替え後のチャンネルの番組が番組提示装置によって提示されるまでのタイムラグを短縮することができるという効果を奏する。
【発明を実施するための最良の形態】
【００３９】
本発明に係る放送受信装置の一実施形態について、図１ないし図５に基づいて説明すると以下の通りである。
【００４０】
（放送受信装置１）
図１は、本実施の形態に係る放送受信装置１の構成を示すブロック図である。図１に示すとおり、放送受信装置１は、第１受信処理部４と第２受信処理部５と切替部６と制御部７とリモコンＩ／Ｆ（リモートコントローラ  Ｉｎｔｅｒ  Ｆａｃｅ）８とを含んで構成される。また、放送受信装置１は、番組提示装置３と放送番組受信提示システム１８を構成している。
【００４１】
第１受信処理部４は、第１チューナー９と第１デコード処理部１０とを含んでいる。第１チューナー部９は、外部のアンテナ１３を介してデジタル放送信号を受信する。第１チューナー部９は、受信したデジタル放送信号を第１デコード部１０に出力する。第１デコード部１０は、入力されたデジタル放送信号を復号して、映像信号と音声信号とを生成する。第１デコード部１０は、生成した映像信号および音声信号を切替部６に出力する。
【００４２】
以上が第１受信処理部４の基本的な動作である。なお、第２受信処理部５に含まれる第２チューナー部１１および第２デコード部１２は、それぞれ、第１受信処理部４に含まれる第１チューナー部９および第１デコード部１０と同じ機能を有する。したがって、第２受信処理部５の基本動作は、上述した第１受信処理部４の動作と同じである。すなわち、第２受信処理部５では、第２のチューナー部１１は視聴者によって選択されたチャンネルのデジタル放送信号を受信して第２デコーダ部１２に出力し、第２デコーダ部１２は入力されたデジタル放送信号を復号して映像信号および音声信号を生成し切替部６に出力する。
【００４３】
放送受信装置１では、リモコンＩ／Ｆ８（座標データ受信部）が、視聴者によって選択されたチャンネルを表すＩＲ信号を受信する。なお、視聴者は、リモコン（リモートコントローラ）２を操作してチャンネルを選択する。リモコン２（入力装置）は、視聴者によって選択されたチャンネルを表すＩＲ信号を生成し、放送受信装置１に送信する。そして、リモコンＩ／Ｆ８は、受信したチャンネルを表すＩＲ信号を、電気的な信号に変換して制御部７に出力する。より具体的には、制御部７は、出力信号生成指示部１９と切替制御部２０とを含んで構成されており、リモコンＩ／Ｆ８は、上記のチャンネルを表す信号を出力信号生成指示部１９に出力する。
【００４４】
出力信号生成指示部１９は、チャンネルを表す信号を受信すると、第１受信処理部４、または、第２受信処理部５に対して、受信処理を開始する指示を与える。第１受信処理部４は受信処理の開始の指示を受けると、第１チューナー部９が、視聴者によって選択されたチャンネルのデジタル放送信号の受信を開始し、第１デコード部１０に受信したデジタル放送信号を出力する。そして、第１デコード部１０は、入力されたデジタル放送信号を復号し、映像信号（出力信号）および音声信号（出力信号）の生成を開始する。同様に、第２受信処理部５は受信処理の開始の指示を受けると、第２チューナー部１１が、視聴者によって選択されたチャンネルのデジタル放送信号の受信を開始し、第２デコード部１２に受信したデジタル放送信号を出力する。そして、第２デコード部１２は、入力されたデジタル放送信号を復号し、映像信号および音声信号の生成を開始する。
【００４５】
切替部６は、第１受信処理部４から入力される映像信号および音声信号、または、第２受信処理部５から入力される映像信号および音声信号を、番組提示装置３に出力する。切替部６は、制御部７に含まれる切替制御部２０によって制御される。より具体的には、第１受信処理部４と第２受信処理部５との両方の受信処理部から同時に映像信号および音声信号の入力を受ける場合、いずれか一方からの映像信号および音声信号のみを放送提示装置３に提示することになるが、いずれの受信処理部から入力される映像信号および音声信号を番組提示装置３に出力するかについて、切替制御部２０からの指示に応じて決定される。すなわち、切替制御部２０は、切替部６に切替指示を与えて番組提示装置３に出力する映像信号および音声信号を切り替える。
【００４６】
制御部７の機能は、ＣＰＵがオペレーティングシステムと協働してメモリに展開された各種のプログラムに従って処理を行うことによって実現される。なお、制御部２の機能の一部または全部が、オペレーティングシステムを介することなく、ＣＰＵとメモリに展開された各種のプログラムのみによって実現されてもよい。また、オペレーティングシステムや各種のプログラムは、記憶装置１７に格納されており、ＣＰＵによって読み出されて実行される。同様に、制御部７が実行する処理において用いられる各種のデータも、記憶装置１７に格納されており、必要に応じてＣＰＵによって読み出される。なお、切替部６が制御部７によってどのように制御されるかについては詳細を後述する。
【００４７】
番組提示装置３は、ＬＣＤ（Liquid Crystal Display）とアンプとスピーカーとを含んで構成される。ＬＣＤは、切替部６から入力された映像信号に基づいて番組の映像を表示する。また、アンプは、切替部６から入力された音声信号を増幅し、スピーカーに出力する。スピーカーは、アンプから入力された増幅された音声信号に基づいて番組の音声を出力する。なお、本実施の形態においては、番組提示装置３は、放送受信装置１とは独立して設けられているが、一体的に備えられている構成であってもよく特に限定はされない。
【００４８】
（リモコン２）
図２は、本実施の形態に係るリモコン２の外観を示す図である。図２に示すとおり、リモコン２には、電源ボタン２１とタッチパッド２２（入力面）とが視聴者（ユーザ）が操作を行う面に設けられている。また、リモコン２には、チャンネルを切り替えるときに放送受信装置１に向ける面に、ＩＲ（Infrared Ray；赤外線、例えばIrSimple）送信部２３が設けられている。
【００４９】
図２に示す電源ボタン２１は、放送受信装置１の電源のＯＮ／ＯＦＦボタンである。視聴者が電源ボタン２１を押下すると、ＩＲ送信部２３は放送受信装置１の起動あるいは終了を指示するＩＲ信号を送出する。
【００５０】
タッチパッド２２は、放送受信装置１において受信されるデジタル放送のチャンネルが割り当てられた１２の領域を有する。各領域には、「１」〜「１２」の数字が記されており、それぞれ、デジタル放送のチャンネル番号に対応している。例えば、タッチパッド２２において、数字の「１」が示されている領域は、放送受信装置１が受信するデジタル放送の１チャンネルに対応している。すなわち、視聴者がタッチパッド２２の数字の「１」が示されている領域に触れると、リモコン２はＩＲ送信部２３からＩＲ信号を放送受信装置１に送信する。放送受信装置１は、リモコン２からのＩＲ信号に基づいて、１チャンネルのデジタル放送信号を受信する。そして、番組提示装置３は、１チャンネルの番組を提示する。視聴者がタッチパッド２２に触れたときにリモコン２から送信されるＩＲ信号については詳細については後述する。
【００５１】
図３は、リモコン２の構成を示すブロック図である。図３に示すとおり、リモコン２は、タッチパッド２２とＩＲ送信部２３とタッチパッドＩ／Ｆ２４と主制御部２５とＩＲ制御部２６とを含んで構成される。
【００５２】
本実施の形態に係るタッチパッド２２は、指の接触を電気的に検知する静電容量式のタッチパッドである。なお、タッチパッド２２は、ペンなどの接触を、圧力を利用して検出する感圧式であってもよく、特に限定はされない。
【００５３】
視聴者がタッチパッド２２の表面に触れた場合、主制御部２５は、タッチパッド２２に含まれている図示しない電極間の電荷量の変化を、タッチパッドＩ／Ｆ２４を介して感知し、その電荷量の変化に基づいて、視聴者の指の動きを検出する。より詳細には、タッチパッドの表面に視聴者の指が接触した場合、その部分の電極間に通電作用が発生し、制御部２５は、通電作用によって減少する電荷量の変化を検知し、タッチパッドに接触している指の位置情報を検出する。
【００５４】
主制御部２５は、検出した位置情報をＩＲ制御部２６に出力する。ＩＲ制御部２６は、主制御部２５から入力された位置情報を表すＩＲ信号を生成する。そして、ＩＲ制御部２６は、ＩＲ送信部２３を介して、生成したＩＲ信号を放送受信装置１に対して送信する。より具体的には、ＩＲ送信部２３は、タッチパッド２２が検出した座標値（以下、入力座標値と略す）を表すＩＲ信号を放送受信装置１に送信する。
【００５５】
なお、本実施の形態に係るタッチパッド２２は、放送受信装置１において受信されるデジタル放送のチャンネルを選択する用途以外に、ポインティングデバイスとしても利用可能である。タッチパッド２２がポインティングデバイスとして利用される場合には、例えば、利用者がタッチパッド２２の表面上を指でなぞると、ＬＣＤ１４に表示されるマウスポインタやカーソルが、タッチパッド２２上の指の軌跡に対応して移動し、ＬＣＤ１４上に表示されるアイコンなどを選択できるようになる。
【００５６】
そのため、タッチパッド２２がチャンネルの選択に用いられているのか、あるいは、ポインティングデバイスとして用いられるのかについて、すなわち、タッチパッド２２の用途について、放送受信装置１において判定が行われることになる。
【００５７】
なお、記憶装置１７において、上述した入力座標値（座標データ）とチャンネルとを対応づけた変換テーブルがあらかじめ記憶されている。視聴者によってタッチパッド２２への入力が行われた場合、放送受信装置１では、制御部７が、リモコン２からの入力座標値を受信すると、受信した入力座標値に対応するチャンネルを記憶装置１７の変換テーブルから読み出す。
【００５８】
ここで、制御部７は、視聴者によるタッチパッド２２への入力が、分割された領域をまたいで行われたことを検出した場合、タッチパッド２２がポインティングデバイスとして用いられていると判定する。そして、タッチパッド２２をなぞる視聴者の指の軌跡にしたがってＬＣＤ１４上に表示されるマウスポインタやカーソルを移動させる。
【００５９】
なお、制御部７は、視聴者によるタッチパッド２２への入力が、分割された領域をまたいで行われたか否かについて、例えば、タッチパッド２２への入力が確定するまでに（視聴者がタッチパッド２２に触れてから指を離すまでに）変換テーブルから読み出すチャンネルに変更があったか否かによって判定できるが、タッチパッド２２への入力座標値から距離を算出し基準値と比較して判定するような構成であってもよく、特に限定はされない。
【００６０】
一方、視聴者によるタッチパッド２２への入力が、分割された領域をまたいで行われたことが検出されなかった場合、制御部７は、タッチパッド２２がチャンネルの選択に用いられていると判定する。この場合には、記憶装置１７の変換テーブルから読み出した入力座標値に対応するチャンネルへの切り替えが行われる。
【００６１】
以上、説明したとおり、本実施の形態においては、タッチパッド２２の用途についての判定が、放送受信装置１において行われる構成について示されているが、タッチパッド２２の用途についての判定はリモコン２において行われてもよく、特に限定はされない。
【００６２】
この場合、リモコン２において、図示しない記憶部に上述の変換テーブルを記憶しておき、主制御部２５は、検出したタッチパッド２２上の入力座標値に対応するチャンネルを変換テーブルから読み出して、視聴者によるタッチパッド２２への入力が、分割された領域をまたいで行われたか否かに応じてＩＲ制御部２６への出力を切り替えることになる。
【００６３】
つまり、視聴者によるタッチパッド２２への入力が、分割された領域をまたいで行われなかった場合、主制御部２５は、タッチパッド２２がチャンネルを選択するために用いられていると判定し、変換テーブルから読み出したチャンネルをＩＲ制御部２６に出力する。そして、ＩＲ制御部２６は、主制御部２５から入力されたチャネルを表すＩＲ信号を生成し、ＩＲ送信部２３に出力する。そして、ＩＲ送信部２３は、タッチパッド２２が検出した入力座標値に対応するチャンネルを表すＩＲ信号を送信する。
【００６４】
したがって、この場合、放送受信装置１は、リモコン２から、入力座標値を表すＩＲ信号ではなく、チャンネルを表すＩＲ信号を受信する。
【００６５】
一方、視聴者によるタッチパッド２２への入力が、分割された領域をまたいで行われた場合、主制御部２５は、タッチパッド２２がポインティングデバイスとして用いられていると判定し、検出した入力座標値をＩＲ制御部２６に出力する。そして、ＩＲ制御部２６は、主制御部２５から入力された入力座標値を表すＩＲ信号を生成する。そしてＩＲ制御部２６は、ＩＲ送信部２３を介して、放送受信装置１に対して送信する。すなわち、ＩＲ送信部２３は、タッチパッド２２が検出した入力座標値を表すＩＲ信号を送信する。そして、放送受信装置１は、その入力座標値に応じて、すなわち、タッチパッド２２をなぞる視聴者の指の軌跡にしたがってＬＣＤ１４上に表示されるマウスポインタやカーソルを移動させる動作を行う。
【００６６】
（チャンネルの切り替え処理について）
以下に、本発明の特徴である放送受信装置１のチャンネル切り替え処理について詳細に説明する。図４は、視聴者がチャンネルを切り替える場合にリモコン２を操作する様子を示す図であり、（ａ）は視聴者がチャンネルを選択したときの様子を示す図であり、（ｂ）はチャンネルが確定したときの様子を示す図である。
【００６７】
図４（ａ）に示す例では、リモコン２に設けられているタッチパッド２２上の１チャンネルに対応する領域に、視聴者の指が接触している。このとき、リモコン２は、タッチパッド２２が検出する入力座標値を放送受信装置１に対して送信する。そして、放送受信装置１では、リモコン１／Ｆ８がリモコン２からの入力座標値を表すＩＲ信号を受信する。そして、リモコン１／Ｆ８が受信したＩＲ信号に基づいて、出力信号生成指示部１９は、視聴者が選択したチャンネルを検知する。
【００６８】
一方、図４（ｂ）に示す例では、図４（ａ）に示す状態の後において、リモコン２に設けられているタッチパッド２２上の１チャンネルに対応する領域から視聴者の指が離れている。このとき、リモコン２では、タッチパッド２２が入力座標値を検出しなくなる。そのため、リモコン２は、入力座標値を放送受信装置１に対して送信しない。したがって、放送受信装置１では、リモコンＩ／Ｆ８は、リモコン２からの入力座標値を表すＩＲ信号を検出できなくなる。これにより、切り替え指示部２０は、視聴者によるチャンネル選択が終了し、選択されたチャンネルが１チャンネルに確定したことを検知する。
【００６９】
図５は、本発明に係る放送受信装置１におけるチャンネル切り替えの処理の流れを表すフローチャートである。
【００７０】
以下では、図５に示すフローチャートにしたがって、チャンネルの切り替え処理について説明する。なお、以下の説明では、図５に示すフローチャートの処理の開始（ＳＴＡＲＴ）の前に、図１に示す第１受信処理部４が、デジタル放送信号の受信処理を行い、映像信号および音声信号を生成して番組提示装置３に供給している場合、すなわち、番組提示装置３が第１受信処理部４によって生成された映像信号および音声信号に基づいて番組を提示している場合についての説明を行う。
【００７１】
なお、図５のフローチャート中に記載されている表示チューナーは第１受信処理部４に含まれている第１チューナー部９に相当し、非表示チューナーは第２受信処理部５に含まれている第２チューナー部１１に相当する。
【００７２】
はじめに、放送受信装置１の制御部７に含まれる出力信号生成指示部１９が、リモコン２においてタッチパッド２２への入力が開始されたか否かを判定する（Ｓ５０１）。出力信号生成指示部１９は、リモコン１／Ｆ８がリモコン２から入力座標値を表すＩＲ信号を受信した場合、タッチパッド２２への入力が行われていることを検出する。
【００７３】
Ｓ５０１における判定の結果、タッチパッド２２への入力が開始されていないと判定された場合（Ｓ５０１：Ｎｏ）、出力信号生成指示部１９は、再度、Ｓ５０１においてタッチパッド２２への入力が開始されたか否かを判定する。つまり、出力信号生成指示部１９は、タッチパッド２２への入力を検出するまで、Ｓ５０１における判定処理を繰り返し実行する。
【００７４】
Ｓ５０１における判定の結果、タッチパッド２２への入力が開始されたと判定された場合（Ｓ５０１：Ｙｅｓ）、すなわち、タッチパッド２２への入力座標値を取得した場合、出力信号生成指示部１９は、取得した入力座標値に対応するチャンネルを記憶装置１７に記憶されている変換テーブルから読み出す。そして、出力信号生成指示部１９は、読み出したチャンネルのデジタル放送信号を、第２受信処理部５に含まれている第２チューナー部１１が受信を開始するように制御する（Ｓ５０２）。つまり、出力信号生成指示部１９によって、第２チューナー部１１は、リモコン２のタッチパッド１１を介して視聴者によって選択されたチャンネルのデジタル放送波の周波数に同調するように設定がなされる。そして、Ｓ５０２においては、第２チューナー部１１は受信したデジタル放送信号を第２デコード部１２に出力し、第２デコード部１２は入力されたデジタル放送信号の復号して、映像信号と音声信号の生成を開始する。
【００７５】
ところで、上述したとおり、図５のフローチャートに示す処理の開始前に、番組提示装置３は、第１受信処理部４によって生成された映像信号および音声信号に基づいて番組を提示している。つまり、Ｓ５０２においては、第１受信処理部４と第２受信処理部５との２つの受信処理部が、映像信号および音声信号を切替部６に出力している。しかし、Ｓ５０２においては、番組提示装置３に映像信号および音声信号を供給する受信処理部の切り替えは行われていない。つまり、Ｓ５０２においては、第１受信処理部４が番組提示装置３に映像信号および音声信号を供給している。すなわち、番組提示装置３は、まだ、第１受信処理部４によって生成された映像信号および音声信号に基づいて番組を提示している。
【００７６】
次に、Ｓ５０２において第２受信処理部５における処理が行われた後、制御部７は、リモコン２のタッチパッド２２への入力は、領域（エリア）をまたいで行われているか否かについての判定を行う（Ｓ５０３）。Ｓ５０３では、制御部７は、リモコン２から受信した入力座標値に対応するチャンネルが変更されたことを検出した場合、タッチパッド２２への入力が分割された領域をまたいで行われたと判定する。なお、領域をまたいで入力が行われたか否かについての判定は、タッチパッド２２への入力座標値から距離を算出し基準値と比較して判定するような構成であってもよく、特に限定はされない。
【００７７】
Ｓ５０３における判定の結果、タッチパッド２２への入力は領域（エリア）をまたいでいると判定された場合（Ｓ５０３：Ｙｅｓ）、制御部７は、以後の一連のタッチパッド２２への入力を座標入力として処理する。すなわち、制御部７は、タッチパッド２２がポインティングデバイスとして用いられていると判定し、タッチパッド２２をなぞる視聴者の指の軌跡にしたがってＬＣＤ１４上に表示されるマウスポインタやカーソルを移動させる。その後、一連のタッチパッド２２への入力が終了した後は、処理はＳ５０１に移り、タッチパッド２２への入力待ちの状態となる。
【００７８】
一方、Ｓ５０３における判定の結果、タッチパッド２２への入力は領域（エリア）をまたいでいないと判定された場合（Ｓ５０３：Ｎｏ）、切替制御部２０は、タッチパッド２２から指が離れたか否かについて判定を行う（Ｓ５０５）。Ｓ５０５では、切替制御部２０は、リモコン２からの入力座標値を表すＩＲ信号をリモコンＩ／Ｆ８が検出できない場合、タッチパッド２２から指が離れたと判定する。
【００７９】
Ｓ５０５における判定の結果、タッチパッド２２から指が離れていないと判定された場合（Ｓ５０５：Ｎｏ）、処理はＳ５０３に移り、再度、タッチパッド２２への入力がエリアをまたいで行われているか否かを判定する処理を行う。つまり、タッチパッド２２から指が離れない間（すなわち、タッチパッド２２への入力が終了していない間）、タッチパッド２２がチャンネル選択に用いられているのか、あるいは、ポインティングデバイスとして用いられているかについての判定が繰り返し行われ、タッチパッド２２への入力状態の検出が行われる。
【００８０】
Ｓ５０５における判定の結果、タッチパッド２２から指が離れたと判定された場合（Ｓ５０５：Ｙｅｓ）、切替制御部２０はタッチパッド２２への入力を指示されたエリアに対応するＣＨ（チャンネル）キー入力として処理する。すなわち、切替制御部２０は、タッチパッド２２がチャンネル選択に用いられていると判定し、Ｓ５０２において第２受信処理部５によって受信処理を開始したチャンネルが確定したことを認識する（Ｓ５０６）。
【００８１】
このとき、第１受信処理部４と第２受信処理部５の各受信処理部がそれぞれ独立にデジタル放送信号を受信して復号し、映像信号および音声信号を生成して切替部６に出力しているが、切替部６から番組提示装置３に供給されているのは、第１受信処理部４において生成される映像信号および音声信号である。
【００８２】
換言すれば、Ｓ５０２において、視聴者によって選択されたチャンネルのデジタル放送信号の受信処理を第２受信処理部５において開始しているものの、番組提示装置３には、その前から第１受信処理部４において受信処理が行われているチャンネルの番組が提示されている。つまり、ＬＣＤ１４には第１チューナー部９が受信しているチャンネルの番組の映像が表示中である。
【００８３】
そして、切替制御部２０は、Ｓ５０２において第２受信処理部５によって受信処理を開始したチャンネルのデジタル放送信号（すなわち、第２チューナー部１１によって受信されているデジタル放送信号）に基づいて生成される映像信号および音声信号を番組提示装置３に供給するように切替部６に指示を与える（Ｓ５０７）。これにより、切替部６は、第２受信処理部５から入力される映像信号および音声信号を出力するように設定がなされる。つまり、切替制御部２０は、番組提示装置３に映像信号および音声信号を供給する受信処理部を、第１受信処理部４から第２受信処理部５に切り替える。これ以降、ＬＣＤ１４には第２チューナー部１１が受信しているチャンネルの番組の映像が表示される。
【００８４】
なお、Ｓ５０７における切り替え処理によって、非表示チューナーであった第２チューナー部１１と表示チューナーであった第１チューナー部９とが切り替えられて、これまで非表示チューナーであった第２チューナー部１１が表示チューナーとなり、これまで表示チューナーであった第１チューナー部９が非表示チューナーとなる。
【００８５】
この後、再度、視聴者の指がリモコン２のタッチパッド２２に触れてチャンネルが新たに選択されたとき、第１チューナー部９が新たに選択されたチャンネルのデジタル放送信号の受信を開始する。そして、視聴者の指がリモコン２のタッチパッド２２から離れたとき、すなわち、チャンネルが確定したときに、チューナー部の切り替え処理（第１チューナー部９と第２チューナー部１１との切り替え処理）が行われて、第１チューナー部９が受信しているチャンネルの番組の映像が表示されることになる。
【００８６】
本実施の形態に係る放送受信装置１は、視聴者がリモコン２のタッチパッド２２に指を触れたことをきっかけとして（すなわち、リモコン２からの入力座標値を表すＩＲ信号を検出したときに）チャンネルが選択されたことを検知して第２の受信処理部５において受信およびデコード処理を開始し、タッチパッド２２から指を離したことをきっかけとして（すなわち、リモコン２からの入力座標値を表すＩＲ信号を検出できなくなったときに）チャンネルが確定したことを検知して受信処理部の切り替えを行う構成である。
【００８７】
そして、従来のデジタル放送の放送受信装置においては、デコード処理に時間がかかるため、チャンネルを切り替えたときに、切り替え後のチャンネルが画面表示されるまでに遅延を生じるという問題があったが、本発明の構成によれば、上記の遅延を短縮することができる。以下に上記の遅延の短縮について説明する。
【００８８】
本発明に係る放送受信装置は、２つの受信処理部を備えており、一方の受信処理部によって受信およびデコードしているチャンネルの視聴中に、視聴者がチャンネルを選択したことを検知すると、選択されたチャンネルの受信およびデコードを他方の受信処理部において開始する。この時点では、受信処理部の切り替えは行われておらず、切り替え前のチャンネルが画面表示されている。そして、受信処理部は、チャンネルが確定したことを検知すると、受信処理部の切り替えを行う。
【００８９】
つまり、チャンネルが選択されてから確定するまで、画面上では切り替え前のチャンネルが表示されているが、その間に、切り替え後のチャンネルの受信及びデコード処理を行う。すなわち、チャンネルが選択されてから確定するまでの時間を、そのチャンネルの受信及びデコードに使うことができるため、チャンネル切り替え操作を行ってから、切り替え後のチャンネルが画面表示されるまでのタイムラグを短縮することができる。
【００９０】
（変形例）
なお、本発明の技術的範囲は、上述した実施の形態に限定されることなく、以下のような構成も考えられる。
【００９１】
例えば、視聴者が選択したチャンネルを表す信号（以下、チャンネル選択信号と呼ぶ）を検出したときに第２の受信処理部５において受信処理が開始され、選択されたチャンネルが確定したことを表す信号（以下、チャンネル確定信号と呼ぶ）を検出したときに受信処理部の切り替えが行われる構成であってもよい。
【００９２】
チャンネル選択信号とチャンネル確定信号を利用した構成について、より具体的に説明すれば、以下のとおりである。
【００９３】
例えば、チャンネルに対応づけられて区分されたタッチパッド上のある一つの領域に視聴者が触れてチャンネルを選択したことを表すチャンネル選択信号が送信された後、連続して再度同じ領域に触れたときにチャンネルを確定したことを表すチャンネル確定信号が送信される構成であってもよい。
【００９４】
また、放送受信装置１を操作するためのリモコンとして、チャンネルに対応するボタンが割り当てられたリモコンであってもよく、例えば、シングルクリック（ボタンを１回押下）したときにはチャンネルを選択したことを表すチャンネル選択信号が送信され、ダブルクリック（短い間隔で素早く２回押下）したときにはチャンネルを確定したことを表すチャンネル確定信号が送信されるような構成であってもよい。
【００９５】
あるいは、ディスプレイ上にチャンネルの一覧が表示され、ポインティングデバイスとしての機能を有するリモコンを用いて、一覧表示されたチャンネルの中から所望のチャンネルをマウスポインタやカーソルを移動させて選択することによってチャンネル切り替えを行うような構成にも適用可能である。例えば、あるチャンネルの領域にマウスポインタが入った時点で、そのチャンネルが選択されたと判断してチャンネル選択信号を検出し、そのチャンネルの領域でマウスポインタがクリックされた場合にチャンネル確定信号を検出するような構成であってもよい。
【００９６】
あるいは、チャンネルの一覧表示と一緒にチャンネルを確定するための確定アイコンが用意されており、マウスポインタやカーソルによってチャンネルが選択されたときにチャンネル選択信号を検出し、その後、確定アイコンが選択されたときにチャンネル確定信号を検出するような構成であってもよい。
【００９７】
さらに、チャンネルが選択された後（チャンネル選択信号を検出した後）、一定時間（例えば１０秒など）が経過したときに、放送受信装置１の制御部７においてチャンネルが確定したと判断してチャンネル切り替えを実行するような構成であってもよく、チャンネルが選択されたこと、および、チャンネルが確定したことを、それぞれ別々に確認する仕組みを備えていればよく、特に限定はされない。
【００９８】
また、チャンネルが選択されてから確定するまでの時間が短い場合（例えば、タッチパッドに触れてチャンネルを選択した後すぐに指を離した場合）、デコードが完了していない状態でチューナーの切り替えが行われてしまうため、黒画面が表示されてしまう場合が考えられる。
【００９９】
そこで、チャンネルが選択されてから確定した後において、一定の待機時間（例えば、１秒〜２秒程度）を設けるような構成も考えられる。つまり、チャンネルが確定した後、実際に受信処理部の切り替えを行うタイミングを故意に遅らせることにより、デコードが完了していない状態でチューナーの切り替えが行われてしまうことを防ぐことができる。
【０１００】
なお、本発明を、以下のように表現することも可能である。
【０１０１】
リモコンとリモコンによって制御される放送受信装置とからなる放送受信システムであって、前記リモコンは、入力面が複数領域に分割されている、座標を入力する座標入力手段と、入力された座標を前記機器へ送信する送信手段とを備え、前記放送受信装置は、リモコンから送信された座標を受信する受信手段と、前記座標入力手段の入力面の各領域に対応するチャンネルキーを記憶する記憶手段と、表示画面に表示中の放送を受信する第１の放送受信手段と、記憶手段に基づいて、入力開始時の座標に対応するチャンネルキーに割り当てられた放送を受信する第２の放送受信手段と、連続した座標入力が領域間をまたがずに入力が終了した場合に、第２の放送受信手段が受信した放送を表示画面に表示させる制御手段とを備える放送受信システム。
【０１０２】
最後に、放送受信装置１の各ブロック、特に制御部７は、ハードウェアロジックによって構成してもよいし、次のようにＣＰＵを用いてソフトウェアによって実現してもよい。
【０１０３】
すなわち、放送受信装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである放送受信装置１の制御プログラムのプログラムコード（実行形式プログラム、中間コードプログラム、ソースプログラム）をコンピュータで読み取り可能に記録した記録媒体を、上記放送受信装置１に供給し、そのコンピュータ（またはＣＰＵやＭＰＵ）が記録媒体に記録されているプログラムコードを読み出し実行することによっても、達成可能である。
【０１０４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０５】
また、放送受信装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０７】
デジタル放送信号を受信して復号し、映像信号や音声信号を生成する放送受信装置に適用可能であり、特に、デジタル放送波を受信して映像を表示するテレビ受像装置において好適に利用可能である。
【図面の簡単な説明】
【０１０８】
【図１】本実施の形態に係る放送受信装置の構成を示すブロック図である。
【図２】本実施の形態に係るリモコンの外観を示す図である。
【図３】本実施の形態に係るリモコンの構成を示すブロック図である。
【図４】視聴者がチャンネルを切り替える場合にリモコンを操作する様子を示す図であり、（ａ）は視聴者がチャンネルを選択したときの様子を示す図であり、（ｂ）はチャンネルが確定したときの様子を示す図である。
【図５】本発明に係る放送受信装置におけるチャンネル切り替えの処理の流れを表すフローチャートである。
【図６】従来のデジタル放送受信装置において、チャンネルを切り替える前後の画面の変化を示す図である。
【図７】従来技術を示すものであり、デジタル放送受信装置のブロック図である。
【図８】従来技術を示すものであり、タッチパッドの構成例を示す図である。
【符号の説明】
【０１０９】
１    放送受信装置
２    リモコン（入力装置）
３    番組提示装置
４    第１受信処理部
５    第２受信処理部
６    切替部
７    制御部
８    リモコンＩ／Ｆ（座標データ受信部）
９    第１チューナー部
１０  第１デコード処理部
１１  第２チューナー部
１２  第２デコード処理部
１３  アンテナ
１４  ＬＣＤ
１５  アンプ
１６  スピーカー
１７  記憶装置
１８  放送番組受信提示システム
１９  出力信号生成指示部
２０  切替制御部
２１  電源ボタン
２２  タッチパッド（入力面）
２３  ＩＲ送信部
２４  タッチパッドＩ／Ｆ
２５  制御部
２６  ＩＲ制御部
【図１】
2008148061.tif 000003
【図２】
2008148061.tif 000004
【図３】
2008148061.tif 000005
【図４】
2008148061.tif 000006
【図５】
2008148061.tif 000007
【図６】
2008148061.tif 000008
【図７】
2008148061.tif 000009
【図８】
2008148061.tif 000010